(57)【要約】  基地局装置（１１０）は、取得部（１１１）と、設定部（１１２）と、通信部（１１３）と、を備える。取得部（１１１）は、他の基地局装置（１２０）との間の距離（ｄ）を示す距離情報を取得する。設定部（１１２）は、取得部（１１１）によって取得された距離情報が示す距離（ｄ）に基づいて、基地局装置（１１０）に接続中の端末装置（１０１，１０２）へ同時に送信する制御チャネルの上限数を設定する。通信部（１１３）は、設定部（１１２）によって設定された上限数に基づいて、端末装置（１０１，１０２）へ制御チャネルを送信する。
2014112058.tif 000002
【特許請求の範囲】
【請求項１】
周波数分割多重により複数の制御チャネルを同時に送信可能な基地局装置において、
自局と他の基地局装置との間の距離を示す距離情報を取得する取得部と、
前記取得部によって取得された距離情報が示す距離に基づいて、自局に接続中の端末装置へ同時に送信する制御チャネルの上限数を設定する設定部と、
前記設定部によって設定された上限数に基づいて、前記端末装置へ制御チャネルを送信する通信部と、
を備えることを特徴とする基地局装置。
【請求項２】
前記設定部は、前記距離が所定値以上である場合に前記上限数を第１上限数に設定し、前記距離が前記所定値未満である場合に前記上限数を前記第１上限数より少ない第２上限数に設定することを特徴とする請求項１に記載の基地局装置。
【請求項３】
前記取得部は、自局に接続中の端末装置へ自局から送信する制御信号の通信品質を示す品質情報を取得し、
前記設定部は、前記距離が前記所定値未満である場合のうちの、前記取得部によって取得された品質情報が示す通信品質が閾値以上である場合は前記上限数を前記第１上限数に設定する、
ことを特徴とする請求項２に記載の基地局装置。
【請求項４】
前記設定部は、前記距離が前記所定値（以下、「第１所定値」と称する）より大きい第２所定値以上である場合に、前記上限数を前記第１上限数より少ない第３上限数に設定することを特徴とする請求項２または３に記載の基地局装置。
【請求項５】
前記通信部は、前記距離が前記第２所定値以上である場合に、前記制御チャネルの送信タイミングを、前記他の基地局装置からの制御チャネルの送信タイミングと同期させることを特徴とする請求項４に記載の基地局装置。
【請求項６】
前記取得部は、自局への上り干渉レベルを示す干渉情報を取得し、
前記設定部は、前記距離が前記第２所定値以上である場合のうちの、前記取得部によって取得された干渉情報が示す干渉レベルが所定レベル以下である場合は前記上限数を前記第１上限数に設定することを特徴とする請求項４または５に記載の基地局装置。
【請求項７】
前記通信部は、同時に送信する制御チャネルの合計の送信電力が所定の電力以下となるように、制御チャネルの送信電力を制御することを特徴とする請求項１〜６のいずれか一つに記載の基地局装置。
【請求項８】
前記距離情報は、前記他の基地局装置からの信号の自局による受信結果に基づく情報であることを特徴とする請求項１〜７のいずれか一つに記載の基地局装置。
【請求項９】
前記距離情報は、自局に接続中の端末装置による、自局および前記他の基地局装置からの各信号の受信結果に基づく情報であることを特徴とする請求項１〜７のいずれか一つに記載の基地局装置。
【請求項１０】
前記通信品質はＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ：信号対干渉雑音比）であることを特徴とする請求項３に記載の基地局装置。
【請求項１１】
周波数分割多重により複数の制御チャネルを同時に送信可能な基地局装置が、
前記基地局装置と他の基地局装置との間の距離を示す距離情報を取得し、
取得した距離情報が示す距離に基づいて、自局に接続中の端末装置へ同時に送信する制御チャネルの上限数を設定し、
設定した上限数に基づいて、前記端末装置へ制御チャネルを送信する、
ことを特徴とする通信方法。
【請求項１２】
周波数分割多重により複数の制御チャネルを同時に送信可能な基地局装置に接続する端末装置において、
前記基地局装置と他の基地局装置との間の距離に基づいて、自局に接続中の端末装置へ同時に送信する制御チャネルの上限数を設定し、設定した上限数に基づいて、前記端末装置へ制御チャネルを送信する前記基地局装置から、前記制御チャネルを受信することを特徴とする端末装置。
【発明の詳細な説明】
【技術分野】
【０００１】
本発明は、基地局装置、通信方法および端末装置に関する。
【背景技術】
【０００２】
無線通信規格の一つとして３ＧＰＰ（３ｒｄ  Ｇｅｎｅｒａｔｉｏｎ  Ｐａｒｔｎｅｒｓｈｉｐ  Ｐｒｏｊｅｃｔ）のＬＴＥ（Ｌｏｎｇ  Ｔｅｒｍ  Ｅｖｏｌｕｔｉｏｎ）が知られている（たとえば、下記非特許文献１，２参照。）。ＬＴＥでは、ｅＮＢ（ｅｖｏｌｖｅｄ  Ｎｏｄｅ  Ｂ）からＵＥ（Ｕｓｅｒ  Ｅｑｕｉｐｍｅｎｔ：ユーザ端末）へ各種の情報を通知するための物理チャネルとして下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）が使用される。【０００３】
ＰＤＣＣＨによってｅＮＢからＵＥへ通知される情報には、たとえば、ｅＮＢからＵＥへの下りデータチャネル（ＰＤＳＣＨ：Ｐｈｙｓｉｃａｌ  Ｄｏｗｎｌｉｎｋ  Ｓｈａｒｅｄ  Ｃｈａｎｎｅｌ）の無線リソースの割り当て情報が含まれる。また、ＰＤＣＣＨによってｅＮＢからＵＥへ通知される情報には、たとえば、ＵＥからｅＮＢへの上りデータチャネル（ＰＵＳＣＨ：Ｐｈｙｓｉｃａｌ  Ｕｐｌｉｎｋ  Ｓｈａｒｅｄ  Ｃｈａｎｎｅｌ）の無線リソースの割り当て情報が含まれる。【０００４】
また、近年の携帯電話網などの無線通信システムにおいては、小さな無線セルを形成するフェムトセルと呼ばれる小型基地局を一般家庭やオフィス内などに配置するヘテロジニアスネットワークの検討が進められている。
【先行技術文献】
【非特許文献】
【０００５】
【非特許文献１】３ＧＰＰ  ＴＳ３６．２１１  Ｖ９．１．０
【非特許文献２】３ＧＰＰ  ＴＳ３６．２１３  Ｖ９．３．０
【発明の概要】
【発明が解決しようとする課題】
【０００６】
しかしながら、上述した従来技術では、マクロ基地局装置の近くにフェムト基地局装置が設置されると、フェムト基地局装置に接続する端末装置はマクロ基地局装置からの干渉を受け、通信品質が低下する場合がある。【０００７】
本発明は、上述した従来技術による問題点を解消するため、通信品質の低下を抑えることができる基地局装置、通信方法および端末装置を提供することを目的とする。
【課題を解決するための手段】
【０００８】
上述した課題を解決し、目的を達成するため、本発明の一側面によれば、周波数分割多重により複数の制御チャネルを同時に送信可能な基地局装置において、前記基地局装置と他の基地局装置との間の距離を示す距離情報を取得し、取得した距離情報が示す距離に基づいて、自局に接続中の端末装置へ同時に送信する制御チャネルの上限数を設定し、設定した上限数に基づいて、前記端末装置へ制御チャネルを送信する基地局装置、通信方法および端末装置が提案される。
【発明の効果】
【０００９】
本発明の一側面によれば、通信品質の低下を抑えることができるという効果を奏する。
【図面の簡単な説明】
【００１０】
【図１−１】図１−１は、実施の形態にかかる基地局装置の一例を示す図である。
【図１−２】図１−２は、図１−１に示した基地局装置における信号の流れの一例を示す図である。
【図２】図２は、実施の形態にかかる基地局装置を適用した通信システムの一例を示す図である。
【図３】図３は、下りサブフレームのフォーマットの一例を示す図である。
【図４−１】図４−１は、フェムト基地局装置の構成の一例を示す図である。
【図４−２】図４−２は、端末装置の構成の一例を示す図である。
【図５−１】図５−１は、フェムト基地局装置のハードウェア構成の一例を示す図である。
【図５−２】図５−２は、端末装置のハードウェア構成の一例を示す図である。
【図６】図６は、フェムト基地局による動作の一例を示すフローチャートである。
【図７】図７は、フェムト基地局装置と他の基地局装置とが近い場合の同時送信数制限の変更処理の一例を示すフローチャートである。
【図８】図８は、フェムト基地局による動作の他の例を示すフローチャートである。
【図９】図９は、フェムト基地局装置と他の基地局装置とが遠い場合の同時送信数制限の変更処理の一例を示すフローチャートである。
【図１０−１】図１０−１は、同時送信数の上限を下げる前の下り被干渉の一例を示す図である。
【図１０−２】図１０−２は、同時送信数の上限を下げた後の下り被干渉の一例を示す図である。
【図１１−１】図１１−１は、同時送信数の上限を下げる前の下り与干渉の一例を示す図である。
【図１１−２】図１１−２は、同時送信数の上限を下げた後の下り与干渉の一例を示す図である。
【発明を実施するための形態】
【００１１】
以下に図面を参照して、本発明にかかる基地局装置、通信方法および端末装置の実施の形態を詳細に説明する。
【００１２】
（実施の形態）
（実施の形態にかかる基地局装置）
図１−１は、実施の形態にかかる基地局装置の一例を示す図である。図１−２は、図１−１に示した基地局装置における信号の流れの一例を示す図である。図１−１，図１−２に示す端末装置１０１，１０２は、実施の形態にかかる基地局装置１１０に接続中の無線端末である。端末装置１０３は、基地局装置１１０とは異なる基地局装置１２０に接続中の無線端末である。基地局装置１２０は、たとえば基地局装置１１０の周辺のマクロ基地局またはフェムト基地局である。
【００１３】
実施の形態にかかる基地局装置１１０は、端末装置１０１，１０２との間で無線通信を行う。また、基地局装置１１０は、周波数分割多重により、端末装置１０１，１０２への複数の制御チャネルを同時に送信可能な基地局装置である。また、基地局装置１１０は、取得部１１１と、設定部１１２と、通信部１１３と、を備える。
【００１４】
取得部１１１は、基地局装置１１０（自局）と基地局装置１２０との間の距離ｄを示す距離情報を取得する。取得部１１１は、取得した距離情報を設定部１１２へ出力する。たとえば、基地局装置１１０のメモリには距離情報が記憶されており、取得部１１１は基地局装置１１０のメモリから距離情報を取得する。
【００１５】
または、取得部１１１は、距離情報を他の通信装置（たとえば上位装置）から受信することによって取得してもよい。または、取得部１１１は、基地局装置１１０と基地局装置１２０との各位置を取得し、取得した各位置に基づく演算により距離情報を取得してもよい。または、取得部１１１は、基地局装置１２０からの無線信号の基地局装置１１０における受信強度や伝搬ロス等に基づいて距離情報を取得してもよい。または、取得部１１１は、基地局装置１１０および基地局装置１２０からの各信号の端末装置１０１，１０２における受信結果に基づいて距離情報を取得してもよい。
【００１６】
設定部１１２は、取得部１１１から出力された距離情報が示す距離が第１所定値以上であるか否かを判断する。そして、設定部１１２は、距離情報が示す距離が第１所定値以上である場合に、基地局装置１１０に接続中の端末装置（たとえば端末装置１０１，１０２）へ同時に送信する制御チャネルの上限数を所定の第１上限数に設定する。
【００１７】
また、設定部１１２は、距離情報が示す距離が第１所定値未満である場合に、基地局装置１１０に接続中の端末装置へ同時に送信する制御チャネルの上限数を所定の第２上限数に設定する。第２上限数は、第１上限数より少ない上限数である。設定部１１２は、設定した上限数を通信部１１３へ通知する。
【００１８】
通信部１１３は、設定部１１２から通知された上限数に基づいて、基地局装置１１０に接続中の端末装置１０１，１０２へ制御チャネルを送信する。たとえば、通信部１１３は、端末装置１０１，１０２への制御チャネルの送信について、同一の時間リソースを割り当てる制御チャネルの数が、設定部１１２から通知された上限数を超えないようにスケジューリングを行う。そして、スケジューリング結果に基づいて端末装置１０１，１０２へ制御信号を送信する。
【００１９】
また、たとえば、通信部１１３は、同時に送信する制御チャネルの合計の送信電力が所定の電力以下となるように、制御チャネルの送信電力を制御する。したがって、同時に送信する制御チャネルが少ない場合は、１つの制御チャネルの送信電力が大きくなり、他のセルからの干渉による影響を受けにくくなる。
【００２０】
このように、基地局装置１１０と基地局装置１２０が近い場合に、端末装置１０１，１０２へ同時に送信する制御チャネルの上限数を少なくし、制御チャネルの送信電力を上げることができる。これにより、基地局装置１２０からの干渉による、基地局装置１１０から端末装置１０１，１０２への制御信号への影響を小さくすることができる。このため、基地局装置１２０からの干渉による、基地局装置１１０と端末装置１０１，１０２との間の通信品質の低下を抑えることができる。
【００２１】
また、設定部１１２は、距離情報が示す距離が第１所定値より大きい第２所定値以上である場合に、基地局装置１１０に接続中の端末装置へ同時に送信する制御チャネルの上限数を第３上限数に設定してもよい。第３上限数は、第１上限数より少ない上限数である。第３上限数は、第２上限数と同じであってもよいし、異なっていてもよい。
【００２２】
これにより、基地局装置１１０と基地局装置１２０が遠い場合に、端末装置１０１，１０２へ同時に送信する制御チャネルの上限数を少なくすることができる。このため、基地局装置１１０からの制御信号と、基地局装置１２０から端末装置１０３への制御信号と、の衝突の頻度を低減することができる。このため、基地局装置１１０からの干渉による基地局装置１２０と端末装置１０３との間の通信品質の低下を抑えることができる。
【００２３】
また、通信部１１３は、距離情報が示す距離が第２所定値以上である場合に、制御信号の送信タイミングを、基地局装置１２０との間で同期させてもよい。これにより、基地局装置１１０から端末装置１０１または端末装置１０２への下りデータ信号と、基地局装置１２０から端末装置１０３への制御信号と、の衝突を回避することができる。このため、基地局装置１１０からの干渉による基地局装置１２０と端末装置１０３との間の通信品質の低下を抑えることができる。
【００２４】
（実施の形態にかかる基地局装置を適用した通信システム）
図２は、実施の形態にかかる基地局装置を適用した通信システムの一例を示す図である。図２においては、一例として、マクロセルとフェムトセルが混在するヘテロジニアスネットワークへの適用例について説明する。
【００２５】
図２に示す通信システム２００は、フェムト基地局装置２１０と、フェムト基地局装置２２０と、マクロ基地局装置２３０と、を含むヘテロジニアスネットワークである。フェムト基地局装置２１０のフェムトセル２１０ａやフェムト基地局装置２２０のフェムトセル２２０ａは、マクロ基地局装置２３０のマクロセル２３０ａに含まれている。
【００２６】
フェムトセル接続端末装置２１１は、フェムトセル２１０ａに在圏し、フェムト基地局装置２１０に接続している。フェムトセル接続端末装置２２１は、フェムトセル２２０ａに在圏し、フェムト基地局装置２２０に接続している。マクロセル接続端末装置２３１は、マクロセル２３０ａに在圏し、マクロ基地局装置２３０に接続している。また、マクロセル接続端末装置２３１は、フェムト基地局装置２２０の近くに位置しているが、フェムト基地局装置２２０には接続していない。
【００２７】
図１−１，図１−２に示した基地局装置１１０は、たとえばフェムト基地局装置２１０に適用することができる。フェムト基地局装置２１０は、マクロ基地局装置２３０との間の距離が小さいため、フェムト基地局装置２１０からフェムトセル接続端末装置２１１へのＰＤＣＣＨに対するマクロ基地局装置２３０からの干渉２３２が大きくなる。
【００２８】
これに対して、図１−１，図１−２に示した基地局装置１１０が適用されたフェムト基地局装置２１０は、マクロ基地局装置２３０との間の距離が小さいため、フェムト基地局装置２１０から同時に送信するＰＤＣＣＨの上限数を少なくする。これにより、フェムト基地局装置２１０からのＰＤＣＣＨの送信電力の調整範囲を拡大し、ＰＤＣＣＨの送信電力を大きくすることができる。このため、フェムト基地局装置２１０からのＰＤＣＣＨに対するマクロ基地局装置２３０からの干渉２３２の影響を小さくし、フェムト基地局装置２１０とフェムトセル接続端末装置２１１との間の通信品質を向上させることができる。
【００２９】
図１−１，図１−２に示した基地局装置１１０は、フェムト基地局装置２２０に適用することもできる。フェムト基地局装置２２０は、マクロ基地局装置２３０との間の距離が大きいため、フェムト基地局装置２２０の近くに位置するマクロセル接続端末装置２３１は、フェムト基地局装置２２０からの干渉２２２を受けるビクティムＵＥとなる。
【００３０】
これに対して、図１−１，図１−２に示した基地局装置１１０が適用されたフェムト基地局装置２２０は、マクロ基地局装置２３０との間の距離が大きいため、フェムト基地局装置２２０から同時に送信するＰＤＣＣＨの上限数を少なくする。これにより、フェムト基地局装置２２０から同時に送信されるＰＤＣＣＨの数が少なくなり、フェムト基地局装置２２０からのＰＤＣＣＨと、マクロ基地局装置２３０からマクロセル接続端末装置２３１への下り制御チャネルと、の衝突頻度を低減することができる。
【００３１】
また、フェムト基地局装置２２０は、マクロ基地局装置２３０との間で下り制御チャネルの送信タイミングの同期をとってもよい。これにより、フェムト基地局装置２２０からのＰＤＣＣＨと、マクロ基地局装置２３０からの下り制御チャネルと、の衝突頻度をより低減することができる。
【００３２】
（下りサブフレームのフォーマット）
図３は、下りサブフレームのフォーマットの一例を示す図である。図３においては、一例としてＬＴＥにおける下りサブフレームのフォーマット３００（システム帯域幅１０［ＭＨｚ］）を示す。各ＵＥのＰＤＣＣＨ領域におけるリソース割り当ては、たとえばＣＣＥ（Ｃｏｎｔｒｏｌ  Ｃｈａｎｎｅｌ  Ｅｌｅｍｅｎｔ）単位で行われる。
【００３３】
１つのＵＥに割り当てるＣＣＥ数は、たとえば１，２，４，８個のいずれかであり、ＣＱＩ（Ｃｈａｎｎｅｌ  Ｑｕａｌｉｔｙ  Ｉｎｄｉｃａｔｏｒ）などで示されるｅＮＢとＵＥとの間の下り伝搬路品質に応じて割り当てるべきＣＣＥ数が決定される。すなわち、下り通信品質の低いＵＥほどＣＣＥを多く割り当てることにより、ＰＤＣＣＨの通信品質が確保される。
【００３４】
（フェムト基地局装置の構成）
図４−１は、フェムト基地局装置の構成の一例を示す図である。図２に示したフェムト基地局装置２１０，２２０のそれぞれは、たとえば図４−１に示すフェムト基地局装置４１０によって実現することができる。フェムト基地局装置４１０は、無線送受信部４１１と、呼処理制御部４１２と、ベースバンド信号処理部４１３と、を備える。
【００３５】
無線送受信部４１１は、端末装置（たとえばフェムトセル接続端末装置２１１，２２１）との間で無線信号を送受信する。呼処理制御部４１２は、端末装置との通信を行う際のメッセージ（ＲＲＣ  Ｍｅｓｓａｇｅ）の終端処理等の呼処理制御を行う。
【００３６】
ベースバンド信号処理部４１３は、無線端末と通信するためのベースバンド信号の生成等のベースバンド信号処理を行う。たとえば、ベースバンド信号処理部４１３はスケジューラ４１４を有する。
【００３７】
スケジューラ４１４は、複数ユーザの端末装置に対するスケジューリングを行う。たとえば、ＬＴＥシステムのように複数ユーザ間でチャネルリソースを共有する場合には、スケジューラ４１４は、時間方向および周波数方向のリソース割り当てを行う。
【００３８】
また、スケジューラ４１４は、隣接セル間距離判定部４１５と、被干渉／与干渉判定部４１６と、下り制御チャネル同時送信数決定部４１７と、を有することにより、下り制御チャネルの同時送信数の調整が可能である。
【００３９】
隣接セル間距離判定部４１５は、フェムト基地局装置４１０と、フェムト基地局装置４１０の周辺の他の基地局装置（たとえばマクロ基地局装置２３０）と、の間の距離を示す距離情報を取得する。たとえば、隣接セル間距離判定部４１５は、上位装置などから実際の位置情報を直接入手するなどして位置情報を取得することができる。
【００４０】
または、隣接セル間距離判定部４１５は、フェムト基地局装置４１０、またはフェムト基地局装置４１０に接続中の端末装置が測定した各セルからの受信電力強度や伝搬ロス等に基づく電波的な距離を示す距離情報を取得してもよい。そして、隣接セル間距離判定部４１５は、取得した距離情報が示す距離を閾値と比較することにより、フェムト基地局装置４１０と他の基地局装置との間の距離の大小を判定する。
【００４１】
被干渉／与干渉判定部４１６は、フェムト基地局装置４１０と端末装置４２０との間のＰＤＣＣＨの通信品質を示す品質情報を取得する。ＰＤＣＣＨの通信品質は、たとえばＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ：信号対干渉雑音比）である。
【００４２】
そして、被干渉／与干渉判定部４１６は、取得した品質情報が示す通信品質を所定値と比較することにより、自セルにおける他の基地局装置からの下り干渉の大小を判定する。たとえば、被干渉／与干渉判定部４１６は、フェムト基地局装置４１０に接続している各無線端末の各ＳＩＮＲのうちの最も低いＳＩＮＲを所定値と比較する。
【００４３】
また、被干渉／与干渉判定部４１６は、フェムト基地局装置４１０に接続しておらず、かつフェムト基地局装置４１０からのＰＤＣＣＨによる干渉を受けている端末装置（ビクティムＵＥ）の有無を判定する。たとえば、被干渉／与干渉判定部４１６は、基地局装置１１０への上り信号に対する干渉レベル（上り干渉）を示す干渉情報を取得し、取得した干渉レベルを閾値と比較することによってビクティムＵＥの有無を判定する。
【００４４】
下り制御チャネル同時送信数決定部４１７は、スケジューラ４１４および隣接セル間距離判定部４１５による各判定結果に基づいて、フェムト基地局装置４１０から同時に送信するＰＤＣＣＨの上限数を決定する。スケジューラ４１４は、下り制御チャネル同時送信数決定部４１７において決定された上限数に基づいてスケジューリングを行う。
【００４５】
図１−１，図１−２に示した取得部１１１は、たとえば隣接セル間距離判定部４１５によって実現することができる。図１−１，図１−２に示した設定部１１２は、たとえば下り制御チャネル同時送信数決定部４１７によって実現することができる。図１−１，図１−２に示した通信部１１３は、たとえば隣接セル間距離判定部４１５および無線送受信部４１１によって実現することができる。
【００４６】
（端末装置の構成）
図４−２は、端末装置の構成の一例を示す図である。図２に示したフェムトセル接続端末装置２１１，２２１のそれぞれは、たとえば図４−２に示す端末装置４２０によって実現することができる。端末装置４２０は、無線送受信部４２１と、呼処理制御部４２２と、ベースバンド信号処理部４２３と、アプリケーション処理部４２４と、を備える。
【００４７】
無線送受信部４２１は、基地局装置（たとえばフェムト基地局装置２１０，２２０）との間で無線信号を送受信する。たとえば、無線送受信部４２１は、基地局装置側で設定した送信パラメータ（変調方式や通信方式など）に対応する変調方式または通信方式にて受信信号を復調する。呼処理制御部４２２は、基地局装置との通信を行う際のメッセージ（ＲＲＣ  Ｍｅｓｓａｇｅ）の終端処理等の呼処理制御を行う。
【００４８】
ベースバンド信号処理部４２３は、基地局装置から通知された送信パラメータに従い、受信したベースバンド信号の復調処理等のベースバンド信号処理を行う。アプリケーション処理部４２４は、ベースバンド信号処理部４２３による復調後の受信信号に基づく各種処理を実行する。
【００４９】
（フェムト基地局装置のハードウェア構成）
図５−１は、フェムト基地局装置のハードウェア構成の一例を示す図である。図５−１に示すように、フェムト基地局装置４１０は、たとえば、図５−１に示すように、アンテナ５１１と、ＲＦ部５１２と、ベースバンド信号処理部５１３と、外部信号Ｉ／Ｆ５１４と、ＣＰＵ５１５と、メモリ５１６と、を備える。ＲＦ部５１２、ベースバンド信号処理部５１３、外部信号Ｉ／Ｆ５１４、ＣＰＵ５１５およびメモリ５１６は、バス５１０によって接続されている。
【００５０】
アンテナ５１１は、無線信号の送受信を行う。ＲＦ部５１２は、アンテナ５１１によって受信された信号を高周波帯からベースバンド帯に変換する。また、ＲＦ部５１２は、アンテナ５１１から送信するための信号をベースバンド帯から高周波帯に変換する。ＲＦ部５１２はＣＰＵ５１５によって制御される。
【００５１】
ベースバンド信号処理部５１３は、ベースバンド帯の信号処理を行う。たとえば、ベースバンド信号処理部５１３は、送受信信号の終端や通信プロトコル変換などを行う。ベースバンド信号処理部５１３は、たとえばＦＰＧＡ（Ｆｉｅｌｄ  Ｐｒｏｇｒａｍｍａｂｌｅ  Ｇａｔｅ  Ａｒｒａｙ）やＤＳＰ（Ｄｉｇｉｔａｌ  Ｓｉｇｎａｌ  Ｐｒｏｃｅｓｓｏｒ）などのデジタル信号プロセッサである。ベースバンド信号処理部５１３はＣＰＵ５１５によって制御される。
【００５２】
外部信号Ｉ／Ｆ５１４は、外部のネットワークの装置（外部装置）との間で信号を送受信する通信インターフェースである。外部信号Ｉ／Ｆ５１４はＣＰＵ５１５によって制御される。
【００５３】
ＣＰＵ５１５は、フェムト基地局装置４１０の全体の制御を司るプロセッサである。メモリ５１６は、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ５１５のワークエリアとして使用される。補助メモリは、たとえば磁気ディスク、光ディスク、フラッシュメモリなどの不揮発メモリである。補助メモリには、フェムト基地局装置４１０を動作させる各種のプログラムが記憶されている。補助メモリに記憶されたプログラムは、メインメモリにロードされてＣＰＵ５１５によって実行される。
【００５４】
図４−１に示した無線送受信部４１１は、たとえばアンテナ５１１、ＲＦ部５１２およびＣＰＵ５１５によって実現することができる。図４−１に示した呼処理制御部４１２は、たとえばＣＰＵ５１５によって実現することができる。図４−１に示したベースバンド信号処理部４１３は、たとえばベースバンド信号処理部５１３およびＣＰＵ５１５によって実現することができる。
【００５５】
（端末装置のハードウェア構成）
図５−２は、端末装置のハードウェア構成の一例を示す図である。図５−２に示すように、端末装置４２０は、たとえば、図５−２に示すように、アンテナ５２１と、ＲＦ部５２２と、ベースバンド信号処理部５２３と、ユーザＩ／Ｆ５２４と、ＣＰＵ５２５と、メモリ５２６と、を備える。ＲＦ部５２２、ベースバンド信号処理部５２３、ユーザＩ／Ｆ５２４、ＣＰＵ５２５およびメモリ５２６は、バス５２０によって接続されている。
【００５６】
アンテナ５２１は、無線信号の送受信を行う。ＲＦ部５２２は、アンテナ５２１によって受信された信号を高周波帯からベースバンド帯に変換する。また、ＲＦ部５２２は、アンテナ５２１から送信するための信号をベースバンド帯から高周波帯に変換する。ＲＦ部５２２はＣＰＵ５２５によって制御される。
【００５７】
ベースバンド信号処理部５２３は、ベースバンド帯の信号処理を行う。たとえば、ベースバンド信号処理部５２３は、送受信信号の終端や通信プロトコル変換などを行う。ベースバンド信号処理部５２３は、たとえばＦＰＧＡやＤＳＰなどのデジタル信号プロセッサである。ベースバンド信号処理部５２３はＣＰＵ５２５によって制御される。
【００５８】
ユーザＩ／Ｆ５２４は、たとえば、ユーザからの操作入力を受け付ける入力デバイスや、ユーザへ情報を出力する出力デバイスなどを含むインターフェースである。入力デバイスは、たとえばキー（たとえばキーボード）やリモコンなどによって実現することができる。出力デバイスは、たとえばディスプレイやスピーカなどによって実現することができる。また、タッチパネルなどによって入力デバイスおよび出力デバイスを実現してもよい。ユーザＩ／Ｆ５２４は、ＣＰＵ５２５によって制御される。
【００５９】
ＣＰＵ５２５は、端末装置４２０の全体の制御を司るプロセッサである。メモリ５２６は、たとえばメインメモリおよび補助メモリが含まれる。メインメモリは、たとえばＲＡＭである。メインメモリは、ＣＰＵ５２５のワークエリアとして使用される。補助メモリは、たとえば磁気ディスク、フラッシュメモリなどの不揮発メモリである。補助メモリには、端末装置４２０を動作させる各種のプログラムが記憶されている。補助メモリに記憶されたプログラムは、メインメモリにロードされてＣＰＵ５２５によって実行される。
【００６０】
図４−２に示した無線送受信部４２１は、たとえばアンテナ５２１、ＲＦ部５２２およびＣＰＵ５２５によって実現することができる。図４−２に示した呼処理制御部４２２は、たとえばＣＰＵ５２５によって実現することができる。図４−２に示したベースバンド信号処理部４２３およびアプリケーション処理部４２４は、たとえばベースバンド信号処理部５２３およびＣＰＵ５２５によって実現することができる。
【００６１】
（フェムト基地局による動作）
フェムト基地局装置４１０の動作の一例を説明する。フェムト基地局装置４１０は、ＰＤＣＣＨの同時送信数の上限として、ＵＬ＿ｌｏｗおよびＵＬ＿ｈｉｇｈのいずれかを設定可能であるとする。ＵＬ＿ｌｏｗは、ＵＬ＿ｈｉｇｈよりも低い数である。また、フェムト基地局装置４１０は、ＰＤＣＣＨの同時送信数の上限の初期値として、たとえばＵＬ＿ｈｉｇｈを設定しているとする。
【００６２】
図６は、フェムト基地局による動作の一例を示すフローチャートである。フェムト基地局装置４１０は、たとえば以下の各ステップを実行する。まず、フェムト基地局装置４１０は、フェムト基地局装置４１０と他の基地局装置（たとえばマクロ基地局装置２３０）との間の距離を示す距離情報と、フェムト基地局装置４１０と端末装置４２０との間のＰＤＣＣＨの通信品質を示す品質情報と、を取得する（ステップＳ６０１）。
【００６３】
つぎに、フェムト基地局装置４１０は、ステップＳ６０１によって取得した距離情報に基づいて、他の基地局装置との距離が所定のＤ１（第１所定値）未満であるか否かを判断する（ステップＳ６０２）。他の基地局装置との距離がＤ１未満である場合（ステップＳ６０２：Ｙｅｓ）は、フェムト基地局装置４１０は、ＰＤＣＣＨの同時送信数制限の変更処理を行い（ステップＳ６０３）、一連動作を終了する。この場合の同時送信数制限の変更処理については後述する（たとえば図７参照）。
【００６４】
ステップＳ６０２において、他の基地局装置との距離がＤ１以上である場合（ステップＳ６０２：Ｎｏ）は、フェムト基地局装置４１０は、同時送信数制限の変更処理を行わずに更新動作を終了する。
【００６５】
フェムト基地局装置４１０は、以上の各ステップをたとえば周期的に実行する。または、フェムト基地局装置４１０は、以上の各ステップを、フェムト基地局装置４１０に接続し通信品質の低い端末装置の数の変化を契機として実行してもよい。
【００６６】
図７は、フェムト基地局装置と他の基地局装置とが近い場合の同時送信数制限の変更処理の一例を示すフローチャートである。図６に示したステップＳ６０３の同時送信数制限の変更処理として、フェムト基地局装置４１０はたとえば以下の各ステップを実行する。
【００６７】
まず、フェムト基地局装置４１０は、現在設定しているＰＤＣＣＨの同時送信数の上限がＵＬ＿ｌｏｗであるか否かを判断する（ステップＳ７０１）。現在設定している同時送信数の上限がＵＬ＿ｌｏｗでない場合（ステップＳ７０１：Ｎｏ）は、フェムト基地局装置４１０は、図６のステップＳ６０１によって取得した品質情報に基づいて、ＰＤＣＣＨの通信品質が閾値未満であるか否かを判断する（ステップＳ７０２）。
【００６８】
ステップＳ７０２において、ＰＤＣＣＨの通信品質が閾値未満である場合（ステップＳ７０２：Ｙｅｓ）は、フェムト基地局装置４１０は、同時送信数の上限をＵＬ＿ｌｏｗに下げ（ステップＳ７０３）、変更処理を終了する。ＰＤＣＣＨの通信品質が閾値以上である場合（ステップＳ７０２：Ｎｏ）は、フェムト基地局装置４１０は、同時送信数の上限を変更せずに変更処理を終了する。
【００６９】
ステップＳ７０１において、現在設定している同時送信数の上限がＵＬ＿ｌｏｗである場合（ステップＳ７０１：Ｙｅｓ）は、フェムト基地局装置４１０は、図６のステップＳ６０１によって取得した品質情報に基づいて、ＰＤＣＣＨの通信品質が閾値以上であるか否かを判断する（ステップＳ７０４）。
【００７０】
ステップＳ７０４において、ＰＤＣＣＨの通信品質が閾値未満である場合（ステップＳ７０４：Ｎｏ）は、フェムト基地局装置４１０は、同時送信数の上限を変更せずに変更処理を終了する。ＰＤＣＣＨの通信品質が閾値以上である場合（ステップＳ７０４：Ｙｅｓ）は、フェムト基地局装置４１０は、同時送信数の上限をＵＬ＿ｈｉｇｈに上げ（ステップＳ７０５）、変更処理を終了する。
【００７１】
図６，図７に示した各ステップにより、フェムト基地局装置４１０と他の基地局装置とが近い場合に、ＰＤＣＣＨの同時送信数の上限を下げることができる。これにより、送信電力アップ（Ｐｏｗｅｒ  Ｂｏｏｓｔｉｎｇ）が可能になり、他の基地局装置からの干渉によるＰＤＣＣＨの通信品質の低下を抑えることができる。
【００７２】
また、フェムト基地局装置４１０と他の基地局装置とが近い場合であっても、ＰＤＣＣＨの通信品質が低くなっていない場合はＰＤＣＣＨの同時送信数の上限を下げないようにすることができる。また、ＰＤＣＣＨの同時送信数の上限を下げた後に、ＰＤＣＣＨの通信品質が高くなった場合はＰＤＣＣＨの同時送信数の上限を上げることができる。これにより、ＰＤＣＣＨの通信品質が維持できている状態でもＰＤＣＣＨの同時送信数の上限を下げることによる通信効率の低下を回避することができる。
【００７３】
（フェムト基地局による動作の他の例）
図８は、フェムト基地局による動作の他の例を示すフローチャートである。フェムト基地局装置４１０は、たとえば以下の各ステップを実行してもよい。まず、フェムト基地局装置４１０は、フェムト基地局装置４１０と他の基地局装置（たとえばマクロ基地局装置２３０）との間の距離を示す距離情報と、フェムト基地局装置４１０と端末装置４２０との間のＰＤＣＣＨの通信品質を示す品質情報と、上り干渉レベルと、を取得する（ステップＳ８０１）。
【００７４】
つぎに、フェムト基地局装置４１０は、ステップＳ８０１によって取得した距離情報に基づいて、他の基地局装置との距離が所定のＤ２（第２所定値）より大きいか否かを判断する（ステップＳ８０２）。Ｄ２は、Ｄ１より大きい値である。他の基地局装置との距離がＤ２以下である場合（ステップＳ８０２：Ｎｏ）は、フェムト基地局装置４１０は、ステップＳ８０３へ移行する。図８に示すステップＳ８０３，Ｓ８０４は、図６に示したステップＳ６０２，Ｓ６０３と同様である。
【００７５】
ステップＳ８０２において、他の基地局装置との距離がＤ２より大きい場合（ステップＳ８０２：Ｙｅｓ）は、フェムト基地局装置４１０は、ＰＤＣＣＨの同時送信数制限の変更処理を行う（ステップＳ８０５）。この場合の同時送信数制限の変更処理については後述する（たとえば図９参照）。
【００７６】
つぎに、フェムト基地局装置４１０は、ＰＤＣＣＨの送信タイミングを他の基地局装置（たとえばマクロ基地局装置２３０）に同期させ（ステップＳ８０６）、一連動作を終了する。ステップＳ８０６による同期は、たとえば、ＧＰＳ（Ｇｌｏｂａｌ  Ｐｏｓｉｔｉｏｎｉｎｇ  Ｓｙｓｔｅｍ：全地球測位システム）やネットワーク同期などを利用して時刻を修正することによって行うことができる。
【００７７】
フェムト基地局装置４１０は、以上の各ステップをたとえば周期的に実行する。または、フェムト基地局装置４１０は、以上の各ステップを、フェムト基地局装置４１０に接続し通信品質の低い端末装置やビクティムＵＥの数の変化を契機として実行してもよい。
【００７８】
図９は、フェムト基地局装置と他の基地局装置とが遠い場合の同時送信数制限の変更処理の一例を示すフローチャートである。図８に示したステップＳ８０５の同時送信数制限の変更処理として、フェムト基地局装置４１０はたとえば以下の各ステップを実行する。
【００７９】
まず、フェムト基地局装置４１０は、現在設定しているＰＤＣＣＨの同時送信数の上限がＵＬ＿ｌｏｗであるか否かを判断する（ステップＳ９０１）。現在設定している同時送信数の上限がＵＬ＿ｌｏｗでない場合（ステップＳ９０１：Ｎｏ）は、フェムト基地局装置４１０は、図８のステップＳ８０１によって取得した上り干渉レベルが所定レベルより大きいか否かを判断する（ステップＳ９０２）。
【００８０】
ステップＳ９０２において、上り干渉レベルが所定レベルより大きい場合（ステップＳ９０２：Ｙｅｓ）は、フェムト基地局装置４１０は、同時送信数の上限をＵＬ＿ｌｏｗに下げ（ステップＳ９０３）、変更処理を終了する。上り干渉レベルが所定レベル以下である場合（ステップＳ９０２：Ｎｏ）は、フェムト基地局装置４１０は、同時送信数の上限を変更せずに変更処理を終了する。
【００８１】
ステップＳ９０１において、現在設定している同時送信数の上限がＵＬ＿ｌｏｗである場合（ステップＳ９０１：Ｙｅｓ）は、フェムト基地局装置４１０は、図６のステップＳ６０１によって取得した品質情報に基づいて、上り干渉レベルが所定レベル以下であるか否かを判断する（ステップＳ９０４）。
【００８２】
ステップＳ９０４において、上り干渉レベルが所定レベルより大きい場合（ステップＳ９０４：Ｎｏ）は、フェムト基地局装置４１０は、同時送信数の上限を変更せずに変更処理を終了する。上り干渉レベルが所定レベル以下である場合（ステップＳ９０４：Ｙｅｓ）は、フェムト基地局装置４１０は、同時送信数の上限をＵＬ＿ｈｉｇｈに上げ（ステップＳ９０５）、変更処理を終了する。
【００８３】
図７〜図９に示した各ステップにより、フェムト基地局装置４１０と他の基地局装置とが遠い場合に、ＰＤＣＣＨの同時送信数の上限を下げることができる。これにより、他の基地局装置からの下り制御チャネルと、フェムト基地局装置２１０からのＰＤＣＣＨと、が衝突する頻度を低減し、他の基地局装置からの下り制御チャネルの通信品質の低下を抑えることができる。
【００８４】
また、フェムト基地局装置４１０と他の基地局装置とが遠い場合であっても、上り干渉レベルが低い場合はＰＤＣＣＨの同時送信数の上限を下げないようにすることができる。これにより、フェムト基地局装置２１０からのＰＤＣＣＨによる干渉を受けている端末装置がない状態でもＰＤＣＣＨの同時送信数の上限を下げることによる通信効率の低下を回避することができる。
【００８５】
また、ＰＤＣＣＨの同時送信数の上限を下げた後に、上り干渉レベルが低くなった場合はＰＤＣＣＨの同時送信数の上限を上げることができる。これにより、ＰＤＣＣＨの通信品質が維持できている状態でもＰＤＣＣＨの同時送信数の上限を下げることによる通信効率の低下を回避することができる。
【００８６】
（同時送信数の上限を下げる前の下り被干渉）
図１０−１は、同時送信数の上限を下げる前の下り被干渉の一例を示す図である。図１０−１において、横方向は時間を示し、縦方向は周波数を示している。無線リソース１０１０（フェムトセル）は、フェムト基地局装置２１０の下り信号の無線リソースを示している。無線リソース１０２０（マクロセル）は、マクロ基地局装置２３０の下り信号の無線リソースを示している。
【００８７】
図１０−１に示す無線リソース１０１０には、ＰＤＣＣＨ＃１〜＃３と、ＰＤＳＣＨと、の領域が含まれる。ＰＤＣＣＨ＃１〜＃３は、同一の時間リソースに割り当てられたＰＤＣＣＨである。すなわち、無線リソース１０１０においてはフェムト基地局装置２１０から３つのＰＤＣＣＨが同時送信される。
【００８８】
図１０−１に示す無線リソース１０２０には、ＰＤＣＣＨ＃Ａ〜＃Ｃと、ＰＤＳＣＨと、の領域が含まれる。フェムト基地局装置２１０はマクロ基地局装置２３０に近いため、フェムト基地局装置２１０の下り信号は、マクロ基地局装置２３０の下り信号からの干渉を受ける。
【００８９】
（同時送信数の上限を下げた後の下り被干渉）
図１０−２は、同時送信数の上限を下げた後の下り被干渉の一例を示す図である。図１０−２において、図１０−１に示した部分と同様の部分については同一の符号を付して説明を省略する。図１０−１に示した状態において、フェムト基地局装置２１０は、フェムト基地局装置２１０がマクロ基地局装置２３０と近く、かつＰＤＣＣＨの通信品質が低いと判断すると、ＰＤＣＣＨの同時送信数の上限を下げてスケジューリングを行う。
【００９０】
たとえば、フェムト基地局装置２１０は、ＰＤＣＣＨの同時送信数の上限を１に下げたとする。この結果、たとえば、図１０−２の無線リソース１０１０に示すように、フェムト基地局装置２１０の下り信号の無線リソース１０１０にはＰＤＣＣＨ＃１のみが割り当てられたとする。これにより、無線リソース１０１０に３つのＰＤＣＣＨが割り当てられていた図１０−１の状態に比べて、ＰＤＣＣＨ＃１の送信電力を上げること（電力Ｕｐ）が可能になる。
【００９１】
このため、フェムト基地局装置２１０の下り信号に対する、マクロ基地局装置２３０の下り信号による干渉の影響を小さくすることができる。送信電力の増加量は、たとえば、ＰＤＣＣＨの同時送信数の上限を下げた状態における空きＣＣＥ数などに応じて決定することができる。
【００９２】
（同時送信数の上限を下げる前の下り与干渉）
図１１−１は、同時送信数の上限を下げる前の下り与干渉の一例を示す図である。図１１−１において、図１０−１に示した部分と同様の部分については同一の符号を付して説明を省略する。無線リソース１０３０（フェムトセル）は、フェムト基地局装置２２０の下り信号の無線リソースを示している。フェムト基地局装置２２０はマクロ基地局装置２３０から遠く、フェムト基地局装置２２０の下り信号は、マクロ基地局装置２３０の下り信号に対して干渉を与える。
【００９３】
（同時送信数の上限を下げた後の下り与干渉）
図１１−２は、同時送信数の上限を下げた後の下り与干渉の一例を示す図である。図１１−２において、図１１−１に示した部分と同様の部分については同一の符号を付して説明を省略する。
【００９４】
図１１−１に示した状態において、フェムト基地局装置２２０は、フェムト基地局装置２２０がマクロ基地局装置２３０から遠いと判断とする。また、フェムト基地局装置２２０は、フェムト基地局装置２２０に未接続のマクロセル接続端末装置２３１がフェムト基地局装置２２０の近くに存在すると判断したとする。この場合は、フェムト基地局装置２２０は、ＰＤＣＣＨの同時送信数の上限を下げてスケジューリングを行う。
【００９５】
たとえば、フェムト基地局装置２２０は、ＰＤＣＣＨの同時送信数の上限を１に下げたとする。この結果、たとえば、図１１−２の無線リソース１０３０に示すように、フェムト基地局装置２２０の下り信号の無線リソース１０３０にはＰＤＣＣＨ＃１のみが割り当てられたとする。
【００９６】
また、フェムト基地局装置２２０は、無線リソース１０３０におけるＰＤＣＣＨの送信タイミングを、マクロ基地局装置２３０の無線リソース１０２０におけるＰＤＣＣＨの送信タイミングと同期させる。
【００９７】
これにより、図１１−１の状態に比べて、無線リソース１０３０に含まれるＰＤＣＣＨおよびＰＤＳＣＨ領域から、無線リソース１０２０に含まれるＰＤＣＣＨが受ける下り干渉量を低減することができる。これにより、マクロ基地局装置２３０の下り信号に対する、フェムト基地局装置２２０の下り信号による干渉の影響を小さくすることができる。
【００９８】
このように、実施の形態によれば、フェムト基地局装置２１０とマクロ基地局装置２３０が近い場合に、フェムト基地局装置２１０が同時に送信するＰＤＣＣＨの上限数を少なくし、ＰＤＣＣＨの送信電力を上げることができる。これにより、マクロ基地局装置２３０からの干渉による、フェムト基地局装置２１０からのＰＤＣＣＨへの影響を小さくすることができる。このため、フェムト基地局装置２１０とフェムトセル接続端末装置２１１との間の通信品質の低下を抑えることができる。
【００９９】
また、フェムト基地局装置２２０がマクロ基地局装置２３０と遠い場合に、フェムト基地局装置２２０が同時に送信するＰＤＣＣＨの上限数を少なくすることができる。これにより、フェムト基地局装置２２０が同時に送信する制御チャネルを少なくし、フェムト基地局装置２２０のＰＤＣＣＨと、マクロ基地局装置２３０のＰＤＣＣＨと、の衝突の頻度を低減することができる。このため、マクロ基地局装置２３０とマクロセル接続端末装置２３１との間の通信品質の低下を抑えることができる。
【０１００】
また、フェムト基地局装置２２０がマクロ基地局装置２３０と遠い場合に、ＰＤＣＣＨの送信タイミングを、マクロ基地局装置２３０との間で同期させることができる。これにより、フェムト基地局装置２２０からのＰＤＳＣＨと、マクロ基地局装置２３０からのＰＤＣＣＨと、の衝突を回避することができる。このため、マクロ基地局装置２３０とマクロセル接続端末装置２３１との間の通信品質の低下を抑えることができる。
【０１０１】
以上説明したように、基地局装置、通信方法および端末装置によれば、通信品質の低下を抑えることができる。
【符号の説明】
【０１０２】
１０１〜１０３，４２０  端末装置
１１０，１２０  基地局装置
１１１  取得部
１１２  設定部
１１３  通信部
２００  通信システム
２１０，２２０，４１０  フェムト基地局装置
２１０ａ，２２０ａ  フェムトセル
２１１，２２１  フェムトセル接続端末装置
２２２，２３２  干渉
２３０  マクロ基地局装置
２３０ａ  マクロセル
２３１  マクロセル接続端末装置
３００  フォーマット
４１１，４２１  無線送受信部
４１２，４２２  呼処理制御部
４１３，４２３，５１３，５２３  ベースバンド信号処理部
４１４  スケジューラ
４１５  隣接セル間距離判定部
４１６  被干渉／与干渉判定部
４１７  下り制御チャネル同時送信数決定部
４２４  アプリケーション処理部
５１０，５２０  バス
５１１，５２１  アンテナ
５１２，５２２  ＲＦ部
５１４  外部信号Ｉ／Ｆ
５１５，５２５  ＣＰＵ
５１６，５２６  メモリ
５２４  ユーザＩ／Ｆ
１０１０，１０２０  無線リソース
【図１−１】
2014112058.tif 000003
【図１−２】
2014112058.tif 000004
【図２】
2014112058.tif 000005
【図３】
2014112058.tif 000006
【図４−１】
2014112058.tif 000007
【図４−２】
2014112058.tif 000008
【図５−１】
2014112058.tif 000009
【図５−２】
2014112058.tif 000010
【図６】
2014112058.tif 000011
【図７】
2014112058.tif 000012
【図８】
2014112058.tif 000013
【図９】
2014112058.tif 000014
【図１０−１】
2014112058.tif 000015
【図１０−２】
2014112058.tif 000016
【図１１−１】
2014112058.tif 000017
【図１１−２】
2014112058.tif 000018
【手続補正書】
【提出日】平成27年7月23日(2015.7.23)
【手続補正１】
【補正対象書類名】特許請求の範囲
【補正対象項目名】全文
【補正方法】変更
【補正の内容】
【特許請求の範囲】
【請求項１】
周波数分割多重により複数の制御チャネルを同時に送信可能な基地局装置において、
自局と他の基地局装置との間の距離を示す距離情報を取得する取得部と、
前記取得部によって取得された距離情報が示す距離に基づいて、自局に接続中の端末装置へ同時に送信する制御チャネルの上限数を設定する設定部と、
前記設定部によって設定された上限数に基づいて、前記端末装置へ制御チャネルを送信する通信部と、
を備えることを特徴とする基地局装置。
【請求項２】
前記設定部は、前記距離が所定値以上である場合に前記上限数を第１上限数に設定し、前記距離が前記所定値未満である場合に前記上限数を前記第１上限数より少ない第２上限数に設定することを特徴とする請求項１に記載の基地局装置。
【請求項３】
前記取得部は、自局に接続中の端末装置へ自局から送信する制御信号の通信品質を示す品質情報を取得し、
前記設定部は、前記距離が前記所定値未満である場合のうちの、前記取得部によって取得された品質情報が示す通信品質が閾値以上である場合は前記上限数を前記第１上限数に設定する、
ことを特徴とする請求項２に記載の基地局装置。
【請求項４】
前記設定部は、前記距離が前記所定値（以下、「第１所定値」と称する）より大きい第２所定値以上である場合に、前記上限数を前記第１上限数より少ない第３上限数に設定することを特徴とする請求項２または３に記載の基地局装置。
【請求項５】
前記通信部は、前記距離が前記第２所定値以上である場合に、前記制御チャネルの送信タイミングを、前記他の基地局装置からの制御チャネルの送信タイミングと同期させることを特徴とする請求項４に記載の基地局装置。
【請求項６】
周波数分割多重により複数の制御チャネルを同時に送信可能な基地局装置が、
前記基地局装置と他の基地局装置との間の距離を示す距離情報を取得し、
取得した距離情報が示す距離に基づいて、自局に接続中の端末装置へ同時に送信する制御チャネルの上限数を設定し、
設定した上限数に基づいて、前記端末装置へ制御チャネルを送信する、
ことを特徴とする通信方法。
【請求項７】
周波数分割多重により複数の制御チャネルを同時に送信可能な基地局装置に接続する端末装置において、
前記基地局装置と他の基地局装置との間の距離に基づいて、自局に接続中の端末装置へ同時に送信する制御チャネルの上限数を設定し、設定した上限数に基づいて、前記端末装置へ制御チャネルを送信する前記基地局装置から、前記制御チャネルを受信することを特徴とする端末装置。
【手続補正２】
【補正対象書類名】明細書
【補正対象項目名】全文
【補正方法】変更
【補正の内容】
【発明の詳細な説明】
【技術分野】
【０００１】
本発明は、基地局装置、通信方法および端末装置に関する。
【背景技術】
【０００２】
無線通信規格の一つとして３ＧＰＰ（３ｒｄ  Ｇｅｎｅｒａｔｉｏｎ  Ｐａｒｔｎｅｒｓｈｉｐ  Ｐｒｏｊｅｃｔ）のＬＴＥ（Ｌｏｎｇ  Ｔｅｒｍ  Ｅｖｏｌｕｔｉｏｎ）が知られている（たとえば、下記非特許文献１，２参照。）。ＬＴＥでは、ｅＮＢ（ｅｖｏｌｖｅｄ  Ｎｏｄｅ  Ｂ）からＵＥ（Ｕｓｅｒ  Ｅｑｕｉｐｍｅｎｔ：ユーザ端末）へ各種の情報を通知するための物理チャネルとして下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）が使用される。
【０００３】
ＰＤＣＣＨによってｅＮＢからＵＥへ通知される情報には、たとえば、ｅＮＢからＵＥへの下りデータチャネル（ＰＤＳＣＨ：Ｐｈｙｓｉｃａｌ  Ｄｏｗｎｌｉｎｋ  Ｓｈａｒｅｄ  Ｃｈａｎｎｅｌ）の無線リソースの割り当て情報が含まれる。また、ＰＤＣＣＨによってｅＮＢからＵＥへ通知される情報には、たとえば、ＵＥからｅＮＢへの上りデータチャネル（ＰＵＳＣＨ：Ｐｈｙｓｉｃａｌ  Ｕｐｌｉｎｋ  Ｓｈａｒｅｄ  Ｃｈａｎｎｅｌ）の無線リソースの割り当て情報が含まれる。
【０００４】
また、近年の携帯電話網などの無線通信システムにおいては、小さな無線セルを形成するフェムトセルと呼ばれる小型基地局を一般家庭やオフィス内などに配置するヘテロジニアスネットワークの検討が進められている。
【先行技術文献】
【非特許文献】
【０００５】
【非特許文献１】３ＧＰＰ  ＴＳ３６．２１１  Ｖ９．１．０
【非特許文献２】３ＧＰＰ  ＴＳ３６．２１３  Ｖ９．３．０
【発明の概要】
【発明が解決しようとする課題】
【０００６】
しかしながら、上述した従来技術では、マクロ基地局装置の近くにフェムト基地局装置が設置されると、フェムト基地局装置に接続する端末装置はマクロ基地局装置からの干渉を受け、通信品質が低下する場合がある。
【０００７】
本発明は、上述した従来技術による問題点を解消するため、通信品質の低下を抑えることができる基地局装置、通信方法および端末装置を提供することを目的とする。
【課題を解決するための手段】
【０００８】
上述した課題を解決し、目的を達成するため、本発明の一側面によれば、周波数分割多重により複数の制御チャネルを同時に送信可能な基地局装置において、前記基地局装置と他の基地局装置との間の距離を示す距離情報を取得し、取得した距離情報が示す距離に基づいて、自局に接続中の端末装置へ同時に送信する制御チャネルの上限数を設定し、設定した上限数に基づいて、前記端末装置へ制御チャネルを送信する基地局装置、通信方法および端末装置が提案される。
【発明の効果】
【０００９】
本発明の一側面によれば、通信品質の低下を抑えることができるという効果を奏する。
【図面の簡単な説明】
【００１０】
【図１−１】図１−１は、実施の形態にかかる基地局装置の一例を示す図である。
【図１−２】図１−２は、図１−１に示した基地局装置における信号の流れの一例を示す図である。
【図２】図２は、実施の形態にかかる基地局装置を適用した通信システムの一例を示す図である。
【図３】図３は、下りサブフレームのフォーマットの一例を示す図である。
【図４−１】図４−１は、フェムト基地局装置の構成の一例を示す図である。
【図４−２】図４−２は、端末装置の構成の一例を示す図である。
【図５−１】図５−１は、フェムト基地局装置のハードウェア構成の一例を示す図である。
【図５−２】図５−２は、端末装置のハードウェア構成の一例を示す図である。
【図６】図６は、フェムト基地局による動作の一例を示すフローチャートである。
【図７】図７は、フェムト基地局装置と他の基地局装置とが近い場合の同時送信数制限の変更処理の一例を示すフローチャートである。
【図８】図８は、フェムト基地局による動作の他の例を示すフローチャートである。
【図９】図９は、フェムト基地局装置と他の基地局装置とが遠い場合の同時送信数制限の変更処理の一例を示すフローチャートである。
【図１０−１】図１０−１は、同時送信数の上限を下げる前の下り被干渉の一例を示す図である。
【図１０−２】図１０−２は、同時送信数の上限を下げた後の下り被干渉の一例を示す図である。
【図１１−１】図１１−１は、同時送信数の上限を下げる前の下り与干渉の一例を示す図である。
【図１１−２】図１１−２は、同時送信数の上限を下げた後の下り与干渉の一例を示す図である。
【発明を実施するための形態】
【００１１】
以下に図面を参照して、本発明にかかる基地局装置、通信方法および端末装置の実施の形態を詳細に説明する。
【００１２】
（実施の形態）
（実施の形態にかかる基地局装置）
図１−１は、実施の形態にかかる基地局装置の一例を示す図である。図１−２は、図１−１に示した基地局装置における信号の流れの一例を示す図である。図１−１，図１−２に示す端末装置１０１，１０２は、実施の形態にかかる基地局装置１１０に接続中の無線端末である。端末装置１０３は、基地局装置１１０とは異なる基地局装置１２０に接続中の無線端末である。基地局装置１２０は、たとえば基地局装置１１０の周辺のマクロ基地局またはフェムト基地局である。
【００１３】
実施の形態にかかる基地局装置１１０は、端末装置１０１，１０２との間で無線通信を行う。また、基地局装置１１０は、周波数分割多重により、端末装置１０１，１０２への複数の制御チャネルを同時に送信可能な基地局装置である。また、基地局装置１１０は、取得部１１１と、設定部１１２と、通信部１１３と、を備える。
【００１４】
取得部１１１は、基地局装置１１０（自局）と基地局装置１２０との間の距離ｄを示す距離情報を取得する。取得部１１１は、取得した距離情報を設定部１１２へ出力する。たとえば、基地局装置１１０のメモリには距離情報が記憶されており、取得部１１１は基地局装置１１０のメモリから距離情報を取得する。
【００１５】
または、取得部１１１は、距離情報を他の通信装置（たとえば上位装置）から受信することによって取得してもよい。または、取得部１１１は、基地局装置１１０と基地局装置１２０との各位置を取得し、取得した各位置に基づく演算により距離情報を取得してもよい。または、取得部１１１は、基地局装置１２０からの無線信号の基地局装置１１０における受信強度や伝搬ロス等に基づいて距離情報を取得してもよい。または、取得部１１１は、基地局装置１１０および基地局装置１２０からの各信号の端末装置１０１，１０２における受信結果に基づいて距離情報を取得してもよい。
【００１６】
設定部１１２は、取得部１１１から出力された距離情報が示す距離が第１所定値以上であるか否かを判断する。そして、設定部１１２は、距離情報が示す距離が第１所定値以上である場合に、基地局装置１１０に接続中の端末装置（たとえば端末装置１０１，１０２）へ同時に送信する制御チャネルの上限数を所定の第１上限数に設定する。
【００１７】
また、設定部１１２は、距離情報が示す距離が第１所定値未満である場合に、基地局装置１１０に接続中の端末装置へ同時に送信する制御チャネルの上限数を所定の第２上限数に設定する。第２上限数は、第１上限数より少ない上限数である。設定部１１２は、設定した上限数を通信部１１３へ通知する。
【００１８】
通信部１１３は、設定部１１２から通知された上限数に基づいて、基地局装置１１０に接続中の端末装置１０１，１０２へ制御チャネルを送信する。たとえば、通信部１１３は、端末装置１０１，１０２への制御チャネルの送信について、同一の時間リソースを割り当てる制御チャネルの数が、設定部１１２から通知された上限数を超えないようにスケジューリングを行う。そして、スケジューリング結果に基づいて端末装置１０１，１０２へ制御信号を送信する。
【００１９】
また、たとえば、通信部１１３は、同時に送信する制御チャネルの合計の送信電力が所定の電力以下となるように、制御チャネルの送信電力を制御する。したがって、同時に送信する制御チャネルが少ない場合は、１つの制御チャネルの送信電力が大きくなり、他のセルからの干渉による影響を受けにくくなる。
【００２０】
このように、基地局装置１１０と基地局装置１２０が近い場合に、端末装置１０１，１０２へ同時に送信する制御チャネルの上限数を少なくし、制御チャネルの送信電力を上げることができる。これにより、基地局装置１２０からの干渉による、基地局装置１１０から端末装置１０１，１０２への制御信号への影響を小さくすることができる。このため、基地局装置１２０からの干渉による、基地局装置１１０と端末装置１０１，１０２との間の通信品質の低下を抑えることができる。
【００２１】
また、設定部１１２は、距離情報が示す距離が第１所定値より大きい第２所定値以上である場合に、基地局装置１１０に接続中の端末装置へ同時に送信する制御チャネルの上限数を第３上限数に設定してもよい。第３上限数は、第１上限数より少ない上限数である。第３上限数は、第２上限数と同じであってもよいし、異なっていてもよい。
【００２２】
これにより、基地局装置１１０と基地局装置１２０が遠い場合に、端末装置１０１，１０２へ同時に送信する制御チャネルの上限数を少なくすることができる。このため、基地局装置１１０からの制御信号と、基地局装置１２０から端末装置１０３への制御信号と、の衝突の頻度を低減することができる。このため、基地局装置１１０からの干渉による基地局装置１２０と端末装置１０３との間の通信品質の低下を抑えることができる。
【００２３】
また、通信部１１３は、距離情報が示す距離が第２所定値以上である場合に、制御信号の送信タイミングを、基地局装置１２０との間で同期させてもよい。これにより、基地局装置１１０から端末装置１０１または端末装置１０２への下りデータ信号と、基地局装置１２０から端末装置１０３への制御信号と、の衝突を回避することができる。このため、基地局装置１１０からの干渉による基地局装置１２０と端末装置１０３との間の通信品質の低下を抑えることができる。
【００２４】
（実施の形態にかかる基地局装置を適用した通信システム）
図２は、実施の形態にかかる基地局装置を適用した通信システムの一例を示す図である。図２においては、一例として、マクロセルとフェムトセルが混在するヘテロジニアスネットワークへの適用例について説明する。
【００２５】
図２に示す通信システム２００は、フェムト基地局装置２１０と、フェムト基地局装置２２０と、マクロ基地局装置２３０と、を含むヘテロジニアスネットワークである。フェムト基地局装置２１０のフェムトセル２１０ａやフェムト基地局装置２２０のフェムトセル２２０ａは、マクロ基地局装置２３０のマクロセル２３０ａに含まれている。
【００２６】
フェムトセル接続端末装置２１１は、フェムトセル２１０ａに在圏し、フェムト基地局装置２１０に接続している。フェムトセル接続端末装置２２１は、フェムトセル２２０ａに在圏し、フェムト基地局装置２２０に接続している。マクロセル接続端末装置２３１は、マクロセル２３０ａに在圏し、マクロ基地局装置２３０に接続している。また、マクロセル接続端末装置２３１は、フェムト基地局装置２２０の近くに位置しているが、フェムト基地局装置２２０には接続していない。
【００２７】
図１−１，図１−２に示した基地局装置１１０は、たとえばフェムト基地局装置２１０に適用することができる。フェムト基地局装置２１０は、マクロ基地局装置２３０との間の距離が小さいため、フェムト基地局装置２１０からフェムトセル接続端末装置２１１へのＰＤＣＣＨに対するマクロ基地局装置２３０からの干渉２３２が大きくなる。
【００２８】
これに対して、図１−１，図１−２に示した基地局装置１１０が適用されたフェムト基地局装置２１０は、マクロ基地局装置２３０との間の距離が小さいため、フェムト基地局装置２１０から同時に送信するＰＤＣＣＨの上限数を少なくする。これにより、フェムト基地局装置２１０からのＰＤＣＣＨの送信電力の調整範囲を拡大し、ＰＤＣＣＨの送信電力を大きくすることができる。このため、フェムト基地局装置２１０からのＰＤＣＣＨに対するマクロ基地局装置２３０からの干渉２３２の影響を小さくし、フェムト基地局装置２１０とフェムトセル接続端末装置２１１との間の通信品質を向上させることができる。
【００２９】
図１−１，図１−２に示した基地局装置１１０は、フェムト基地局装置２２０に適用することもできる。フェムト基地局装置２２０は、マクロ基地局装置２３０との間の距離が大きいため、フェムト基地局装置２２０の近くに位置するマクロセル接続端末装置２３１は、フェムト基地局装置２２０からの干渉２２２を受けるビクティムＵＥとなる。
【００３０】
これに対して、図１−１，図１−２に示した基地局装置１１０が適用されたフェムト基地局装置２２０は、マクロ基地局装置２３０との間の距離が大きいため、フェムト基地局装置２２０から同時に送信するＰＤＣＣＨの上限数を少なくする。これにより、フェムト基地局装置２２０から同時に送信されるＰＤＣＣＨの数が少なくなり、フェムト基地局装置２２０からのＰＤＣＣＨと、マクロ基地局装置２３０からマクロセル接続端末装置２３１への下り制御チャネルと、の衝突頻度を低減することができる。
【００３１】
また、フェムト基地局装置２２０は、マクロ基地局装置２３０との間で下り制御チャネルの送信タイミングの同期をとってもよい。これにより、フェムト基地局装置２２０からのＰＤＣＣＨと、マクロ基地局装置２３０からの下り制御チャネルと、の衝突頻度をより低減することができる。
【００３２】
（下りサブフレームのフォーマット）
図３は、下りサブフレームのフォーマットの一例を示す図である。図３においては、一例としてＬＴＥにおける下りサブフレームのフォーマット３００（システム帯域幅１０［ＭＨｚ］）を示す。各ＵＥのＰＤＣＣＨ領域におけるリソース割り当ては、たとえばＣＣＥ（Ｃｏｎｔｒｏｌ  Ｃｈａｎｎｅｌ  Ｅｌｅｍｅｎｔ）単位で行われる。
【００３３】
１つのＵＥに割り当てるＣＣＥ数は、たとえば１，２，４，８個のいずれかであり、ＣＱＩ（Ｃｈａｎｎｅｌ  Ｑｕａｌｉｔｙ  Ｉｎｄｉｃａｔｏｒ）などで示されるｅＮＢとＵＥとの間の下り伝搬路品質に応じて割り当てるべきＣＣＥ数が決定される。すなわち、下り通信品質の低いＵＥほどＣＣＥを多く割り当てることにより、ＰＤＣＣＨの通信品質が確保される。
【００３４】
（フェムト基地局装置の構成）
図４−１は、フェムト基地局装置の構成の一例を示す図である。図２に示したフェムト基地局装置２１０，２２０のそれぞれは、たとえば図４−１に示すフェムト基地局装置４１０によって実現することができる。フェムト基地局装置４１０は、無線送受信部４１１と、呼処理制御部４１２と、ベースバンド信号処理部４１３と、を備える。
【００３５】
無線送受信部４１１は、端末装置（たとえばフェムトセル接続端末装置２１１，２２１）との間で無線信号を送受信する。呼処理制御部４１２は、端末装置との通信を行う際のメッセージ（ＲＲＣ  Ｍｅｓｓａｇｅ）の終端処理等の呼処理制御を行う。
【００３６】
ベースバンド信号処理部４１３は、無線端末と通信するためのベースバンド信号の生成等のベースバンド信号処理を行う。たとえば、ベースバンド信号処理部４１３はスケジューラ４１４を有する。
【００３７】
スケジューラ４１４は、複数ユーザの端末装置に対するスケジューリングを行う。たとえば、ＬＴＥシステムのように複数ユーザ間でチャネルリソースを共有する場合には、スケジューラ４１４は、時間方向および周波数方向のリソース割り当てを行う。
【００３８】
また、スケジューラ４１４は、隣接セル間距離判定部４１５と、被干渉／与干渉判定部４１６と、下り制御チャネル同時送信数決定部４１７と、を有することにより、下り制御チャネルの同時送信数の調整が可能である。
【００３９】
隣接セル間距離判定部４１５は、フェムト基地局装置４１０と、フェムト基地局装置４１０の周辺の他の基地局装置（たとえばマクロ基地局装置２３０）と、の間の距離を示す距離情報を取得する。たとえば、隣接セル間距離判定部４１５は、上位装置などから実際の位置情報を直接入手するなどして位置情報を取得することができる。
【００４０】
または、隣接セル間距離判定部４１５は、フェムト基地局装置４１０、またはフェムト基地局装置４１０に接続中の端末装置が測定した各セルからの受信電力強度や伝搬ロス等に基づく電波的な距離を示す距離情報を取得してもよい。そして、隣接セル間距離判定部４１５は、取得した距離情報が示す距離を閾値と比較することにより、フェムト基地局装置４１０と他の基地局装置との間の距離の大小を判定する。
【００４１】
被干渉／与干渉判定部４１６は、フェムト基地局装置４１０と端末装置４２０との間のＰＤＣＣＨの通信品質を示す品質情報を取得する。ＰＤＣＣＨの通信品質は、たとえばＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ：信号対干渉雑音比）である。
【００４２】
そして、被干渉／与干渉判定部４１６は、取得した品質情報が示す通信品質を所定値と比較することにより、自セルにおける他の基地局装置からの下り干渉の大小を判定する。たとえば、被干渉／与干渉判定部４１６は、フェムト基地局装置４１０に接続している各無線端末の各ＳＩＮＲのうちの最も低いＳＩＮＲを所定値と比較する。
【００４３】
また、被干渉／与干渉判定部４１６は、フェムト基地局装置４１０に接続しておらず、かつフェムト基地局装置４１０からのＰＤＣＣＨによる干渉を受けている端末装置（ビクティムＵＥ）の有無を判定する。たとえば、被干渉／与干渉判定部４１６は、基地局装置１１０への上り信号に対する干渉レベル（上り干渉）を示す干渉情報を取得し、取得した干渉レベルを閾値と比較することによってビクティムＵＥの有無を判定する。
【００４４】
下り制御チャネル同時送信数決定部４１７は、スケジューラ４１４および隣接セル間距離判定部４１５による各判定結果に基づいて、フェムト基地局装置４１０から同時に送信するＰＤＣＣＨの上限数を決定する。スケジューラ４１４は、下り制御チャネル同時送信数決定部４１７において決定された上限数に基づいてスケジューリングを行う。
【００４５】
図１−１，図１−２に示した取得部１１１は、たとえば隣接セル間距離判定部４１５によって実現することができる。図１−１，図１−２に示した設定部１１２は、たとえば下り制御チャネル同時送信数決定部４１７によって実現することができる。図１−１，図１−２に示した通信部１１３は、たとえば隣接セル間距離判定部４１５および無線送受信部４１１によって実現することができる。
【００４６】
（端末装置の構成）
図４−２は、端末装置の構成の一例を示す図である。図２に示したフェムトセル接続端末装置２１１，２２１のそれぞれは、たとえば図４−２に示す端末装置４２０によって実現することができる。端末装置４２０は、無線送受信部４２１と、呼処理制御部４２２と、ベースバンド信号処理部４２３と、アプリケーション処理部４２４と、を備える。
【００４７】
無線送受信部４２１は、基地局装置（たとえばフェムト基地局装置２１０，２２０）との間で無線信号を送受信する。たとえば、無線送受信部４２１は、基地局装置側で設定した送信パラメータ（変調方式や通信方式など）に対応する変調方式または通信方式にて受信信号を復調する。呼処理制御部４２２は、基地局装置との通信を行う際のメッセージ（ＲＲＣ  Ｍｅｓｓａｇｅ）の終端処理等の呼処理制御を行う。
【００４８】
ベースバンド信号処理部４２３は、基地局装置から通知された送信パラメータに従い、受信したベースバンド信号の復調処理等のベースバンド信号処理を行う。アプリケーション処理部４２４は、ベースバンド信号処理部４２３による復調後の受信信号に基づく各種処理を実行する。
【００４９】
（フェムト基地局装置のハードウェア構成）
図５−１は、フェムト基地局装置のハードウェア構成の一例を示す図である。図５−１に示すように、フェムト基地局装置４１０は、たとえば、図５−１に示すように、アンテナ５１１と、ＲＦ部５１２と、ベースバンド信号処理部５１３と、外部信号Ｉ／Ｆ５１４と、ＣＰＵ５１５と、メモリ５１６と、を備える。ＲＦ部５１２、ベースバンド信号処理部５１３、外部信号Ｉ／Ｆ５１４、ＣＰＵ５１５およびメモリ５１６は、バス５１０によって接続されている。
【００５０】
アンテナ５１１は、無線信号の送受信を行う。ＲＦ部５１２は、アンテナ５１１によって受信された信号を高周波帯からベースバンド帯に変換する。また、ＲＦ部５１２は、アンテナ５１１から送信するための信号をベースバンド帯から高周波帯に変換する。ＲＦ部５１２はＣＰＵ５１５によって制御される。
【００５１】
ベースバンド信号処理部５１３は、ベースバンド帯の信号処理を行う。たとえば、ベースバンド信号処理部５１３は、送受信信号の終端や通信プロトコル変換などを行う。ベースバンド信号処理部５１３は、たとえばＦＰＧＡ（Ｆｉｅｌｄ  Ｐｒｏｇｒａｍｍａｂｌｅ  Ｇａｔｅ  Ａｒｒａｙ）やＤＳＰ（Ｄｉｇｉｔａｌ  Ｓｉｇｎａｌ  Ｐｒｏｃｅｓｓｏｒ）などのデジタル信号プロセッサである。ベースバンド信号処理部５１３はＣＰＵ５１５によって制御される。
【００５２】
外部信号Ｉ／Ｆ５１４は、外部のネットワークの装置（外部装置）との間で信号を送受信する通信インターフェースである。外部信号Ｉ／Ｆ５１４はＣＰＵ５１５によって制御される。
【００５３】
ＣＰＵ５１５は、フェムト基地局装置４１０の全体の制御を司るプロセッサである。メモリ５１６は、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ５１５のワークエリアとして使用される。補助メモリは、たとえば磁気ディスク、光ディスク、フラッシュメモリなどの不揮発メモリである。補助メモリには、フェムト基地局装置４１０を動作させる各種のプログラムが記憶されている。補助メモリに記憶されたプログラムは、メインメモリにロードされてＣＰＵ５１５によって実行される。
【００５４】
図４−１に示した無線送受信部４１１は、たとえばアンテナ５１１、ＲＦ部５１２およびＣＰＵ５１５によって実現することができる。図４−１に示した呼処理制御部４１２は、たとえばＣＰＵ５１５によって実現することができる。図４−１に示したベースバンド信号処理部４１３は、たとえばベースバンド信号処理部５１３およびＣＰＵ５１５によって実現することができる。
【００５５】
（端末装置のハードウェア構成）
図５−２は、端末装置のハードウェア構成の一例を示す図である。図５−２に示すように、端末装置４２０は、たとえば、図５−２に示すように、アンテナ５２１と、ＲＦ部５２２と、ベースバンド信号処理部５２３と、ユーザＩ／Ｆ５２４と、ＣＰＵ５２５と、メモリ５２６と、を備える。ＲＦ部５２２、ベースバンド信号処理部５２３、ユーザＩ／Ｆ５２４、ＣＰＵ５２５およびメモリ５２６は、バス５２０によって接続されている。
【００５６】
アンテナ５２１は、無線信号の送受信を行う。ＲＦ部５２２は、アンテナ５２１によって受信された信号を高周波帯からベースバンド帯に変換する。また、ＲＦ部５２２は、アンテナ５２１から送信するための信号をベースバンド帯から高周波帯に変換する。ＲＦ部５２２はＣＰＵ５２５によって制御される。
【００５７】
ベースバンド信号処理部５２３は、ベースバンド帯の信号処理を行う。たとえば、ベースバンド信号処理部５２３は、送受信信号の終端や通信プロトコル変換などを行う。ベースバンド信号処理部５２３は、たとえばＦＰＧＡやＤＳＰなどのデジタル信号プロセッサである。ベースバンド信号処理部５２３はＣＰＵ５２５によって制御される。
【００５８】
ユーザＩ／Ｆ５２４は、たとえば、ユーザからの操作入力を受け付ける入力デバイスや、ユーザへ情報を出力する出力デバイスなどを含むインターフェースである。入力デバイスは、たとえばキー（たとえばキーボード）やリモコンなどによって実現することができる。出力デバイスは、たとえばディスプレイやスピーカなどによって実現することができる。また、タッチパネルなどによって入力デバイスおよび出力デバイスを実現してもよい。ユーザＩ／Ｆ５２４は、ＣＰＵ５２５によって制御される。
【００５９】
ＣＰＵ５２５は、端末装置４２０の全体の制御を司るプロセッサである。メモリ５２６は、たとえばメインメモリおよび補助メモリが含まれる。メインメモリは、たとえばＲＡＭである。メインメモリは、ＣＰＵ５２５のワークエリアとして使用される。補助メモリは、たとえば磁気ディスク、フラッシュメモリなどの不揮発メモリである。補助メモリには、端末装置４２０を動作させる各種のプログラムが記憶されている。補助メモリに記憶されたプログラムは、メインメモリにロードされてＣＰＵ５２５によって実行される。
【００６０】
図４−２に示した無線送受信部４２１は、たとえばアンテナ５２１、ＲＦ部５２２およびＣＰＵ５２５によって実現することができる。図４−２に示した呼処理制御部４２２は、たとえばＣＰＵ５２５によって実現することができる。図４−２に示したベースバンド信号処理部４２３およびアプリケーション処理部４２４は、たとえばベースバンド信号処理部５２３およびＣＰＵ５２５によって実現することができる。
【００６１】
（フェムト基地局による動作）
フェムト基地局装置４１０の動作の一例を説明する。フェムト基地局装置４１０は、ＰＤＣＣＨの同時送信数の上限として、ＵＬ＿ｌｏｗおよびＵＬ＿ｈｉｇｈのいずれかを設定可能であるとする。ＵＬ＿ｌｏｗは、ＵＬ＿ｈｉｇｈよりも低い数である。また、フェムト基地局装置４１０は、ＰＤＣＣＨの同時送信数の上限の初期値として、たとえばＵＬ＿ｈｉｇｈを設定しているとする。
【００６２】
図６は、フェムト基地局による動作の一例を示すフローチャートである。フェムト基地局装置４１０は、たとえば以下の各ステップを実行する。まず、フェムト基地局装置４１０は、フェムト基地局装置４１０と他の基地局装置（たとえばマクロ基地局装置２３０）との間の距離を示す距離情報と、フェムト基地局装置４１０と端末装置４２０との間のＰＤＣＣＨの通信品質を示す品質情報と、を取得する（ステップＳ６０１）。
【００６３】
つぎに、フェムト基地局装置４１０は、ステップＳ６０１によって取得した距離情報に基づいて、他の基地局装置との距離が所定のＤ１（第１所定値）未満であるか否かを判断する（ステップＳ６０２）。他の基地局装置との距離がＤ１未満である場合（ステップＳ６０２：Ｙｅｓ）は、フェムト基地局装置４１０は、ＰＤＣＣＨの同時送信数制限の変更処理を行い（ステップＳ６０３）、一連動作を終了する。この場合の同時送信数制限の変更処理については後述する（たとえば図７参照）。
【００６４】
ステップＳ６０２において、他の基地局装置との距離がＤ１以上である場合（ステップＳ６０２：Ｎｏ）は、フェムト基地局装置４１０は、同時送信数制限の変更処理を行わずに更新動作を終了する。
【００６５】
フェムト基地局装置４１０は、以上の各ステップをたとえば周期的に実行する。または、フェムト基地局装置４１０は、以上の各ステップを、フェムト基地局装置４１０に接続し通信品質の低い端末装置の数の変化を契機として実行してもよい。
【００６６】
図７は、フェムト基地局装置と他の基地局装置とが近い場合の同時送信数制限の変更処理の一例を示すフローチャートである。図６に示したステップＳ６０３の同時送信数制限の変更処理として、フェムト基地局装置４１０はたとえば以下の各ステップを実行する。
【００６７】
まず、フェムト基地局装置４１０は、現在設定しているＰＤＣＣＨの同時送信数の上限がＵＬ＿ｌｏｗであるか否かを判断する（ステップＳ７０１）。現在設定している同時送信数の上限がＵＬ＿ｌｏｗでない場合（ステップＳ７０１：Ｎｏ）は、フェムト基地局装置４１０は、図６のステップＳ６０１によって取得した品質情報に基づいて、ＰＤＣＣＨの通信品質が閾値未満であるか否かを判断する（ステップＳ７０２）。
【００６８】
ステップＳ７０２において、ＰＤＣＣＨの通信品質が閾値未満である場合（ステップＳ７０２：Ｙｅｓ）は、フェムト基地局装置４１０は、同時送信数の上限をＵＬ＿ｌｏｗに下げ（ステップＳ７０３）、変更処理を終了する。ＰＤＣＣＨの通信品質が閾値以上である場合（ステップＳ７０２：Ｎｏ）は、フェムト基地局装置４１０は、同時送信数の上限を変更せずに変更処理を終了する。
【００６９】
ステップＳ７０１において、現在設定している同時送信数の上限がＵＬ＿ｌｏｗである場合（ステップＳ７０１：Ｙｅｓ）は、フェムト基地局装置４１０は、図６のステップＳ６０１によって取得した品質情報に基づいて、ＰＤＣＣＨの通信品質が閾値以上であるか否かを判断する（ステップＳ７０４）。
【００７０】
ステップＳ７０４において、ＰＤＣＣＨの通信品質が閾値未満である場合（ステップＳ７０４：Ｎｏ）は、フェムト基地局装置４１０は、同時送信数の上限を変更せずに変更処理を終了する。ＰＤＣＣＨの通信品質が閾値以上である場合（ステップＳ７０４：Ｙｅｓ）は、フェムト基地局装置４１０は、同時送信数の上限をＵＬ＿ｈｉｇｈに上げ（ステップＳ７０５）、変更処理を終了する。
【００７１】
図６，図７に示した各ステップにより、フェムト基地局装置４１０と他の基地局装置とが近い場合に、ＰＤＣＣＨの同時送信数の上限を下げることができる。これにより、送信電力アップ（Ｐｏｗｅｒ  Ｂｏｏｓｔｉｎｇ）が可能になり、他の基地局装置からの干渉によるＰＤＣＣＨの通信品質の低下を抑えることができる。
【００７２】
また、フェムト基地局装置４１０と他の基地局装置とが近い場合であっても、ＰＤＣＣＨの通信品質が低くなっていない場合はＰＤＣＣＨの同時送信数の上限を下げないようにすることができる。また、ＰＤＣＣＨの同時送信数の上限を下げた後に、ＰＤＣＣＨの通信品質が高くなった場合はＰＤＣＣＨの同時送信数の上限を上げることができる。これにより、ＰＤＣＣＨの通信品質が維持できている状態でもＰＤＣＣＨの同時送信数の上限を下げることによる通信効率の低下を回避することができる。
【００７３】
（フェムト基地局による動作の他の例）
図８は、フェムト基地局による動作の他の例を示すフローチャートである。フェムト基地局装置４１０は、たとえば以下の各ステップを実行してもよい。まず、フェムト基地局装置４１０は、フェムト基地局装置４１０と他の基地局装置（たとえばマクロ基地局装置２３０）との間の距離を示す距離情報と、フェムト基地局装置４１０と端末装置４２０との間のＰＤＣＣＨの通信品質を示す品質情報と、上り干渉レベルと、を取得する（ステップＳ８０１）。
【００７４】
つぎに、フェムト基地局装置４１０は、ステップＳ８０１によって取得した距離情報に基づいて、他の基地局装置との距離が所定のＤ２（第２所定値）より大きいか否かを判断する（ステップＳ８０２）。Ｄ２は、Ｄ１より大きい値である。他の基地局装置との距離がＤ２以下である場合（ステップＳ８０２：Ｎｏ）は、フェムト基地局装置４１０は、ステップＳ８０３へ移行する。図８に示すステップＳ８０３，Ｓ８０４は、図６に示したステップＳ６０２，Ｓ６０３と同様である。
【００７５】
ステップＳ８０２において、他の基地局装置との距離がＤ２より大きい場合（ステップＳ８０２：Ｙｅｓ）は、フェムト基地局装置４１０は、ＰＤＣＣＨの同時送信数制限の変更処理を行う（ステップＳ８０５）。この場合の同時送信数制限の変更処理については後述する（たとえば図９参照）。
【００７６】
つぎに、フェムト基地局装置４１０は、ＰＤＣＣＨの送信タイミングを他の基地局装置（たとえばマクロ基地局装置２３０）に同期させ（ステップＳ８０６）、一連動作を終了する。ステップＳ８０６による同期は、たとえば、ＧＰＳ（Ｇｌｏｂａｌ  Ｐｏｓｉｔｉｏｎｉｎｇ  Ｓｙｓｔｅｍ：全地球測位システム）やネットワーク同期などを利用して時刻を修正することによって行うことができる。
【００７７】
フェムト基地局装置４１０は、以上の各ステップをたとえば周期的に実行する。または、フェムト基地局装置４１０は、以上の各ステップを、フェムト基地局装置４１０に接続し通信品質の低い端末装置やビクティムＵＥの数の変化を契機として実行してもよい。
【００７８】
図９は、フェムト基地局装置と他の基地局装置とが遠い場合の同時送信数制限の変更処理の一例を示すフローチャートである。図８に示したステップＳ８０５の同時送信数制限の変更処理として、フェムト基地局装置４１０はたとえば以下の各ステップを実行する。
【００７９】
まず、フェムト基地局装置４１０は、現在設定しているＰＤＣＣＨの同時送信数の上限がＵＬ＿ｌｏｗであるか否かを判断する（ステップＳ９０１）。現在設定している同時送信数の上限がＵＬ＿ｌｏｗでない場合（ステップＳ９０１：Ｎｏ）は、フェムト基地局装置４１０は、図８のステップＳ８０１によって取得した上り干渉レベルが所定レベルより大きいか否かを判断する（ステップＳ９０２）。
【００８０】
ステップＳ９０２において、上り干渉レベルが所定レベルより大きい場合（ステップＳ９０２：Ｙｅｓ）は、フェムト基地局装置４１０は、同時送信数の上限をＵＬ＿ｌｏｗに下げ（ステップＳ９０３）、変更処理を終了する。上り干渉レベルが所定レベル以下である場合（ステップＳ９０２：Ｎｏ）は、フェムト基地局装置４１０は、同時送信数の上限を変更せずに変更処理を終了する。
【００８１】
ステップＳ９０１において、現在設定している同時送信数の上限がＵＬ＿ｌｏｗである場合（ステップＳ９０１：Ｙｅｓ）は、フェムト基地局装置４１０は、図６のステップＳ６０１によって取得した品質情報に基づいて、上り干渉レベルが所定レベル以下であるか否かを判断する（ステップＳ９０４）。
【００８２】
ステップＳ９０４において、上り干渉レベルが所定レベルより大きい場合（ステップＳ９０４：Ｎｏ）は、フェムト基地局装置４１０は、同時送信数の上限を変更せずに変更処理を終了する。上り干渉レベルが所定レベル以下である場合（ステップＳ９０４：Ｙｅｓ）は、フェムト基地局装置４１０は、同時送信数の上限をＵＬ＿ｈｉｇｈに上げ（ステップＳ９０５）、変更処理を終了する。
【００８３】
図７〜図９に示した各ステップにより、フェムト基地局装置４１０と他の基地局装置とが遠い場合に、ＰＤＣＣＨの同時送信数の上限を下げることができる。これにより、他の基地局装置からの下り制御チャネルと、フェムト基地局装置２１０からのＰＤＣＣＨと、が衝突する頻度を低減し、他の基地局装置からの下り制御チャネルの通信品質の低下を抑えることができる。
【００８４】
また、フェムト基地局装置４１０と他の基地局装置とが遠い場合であっても、上り干渉レベルが低い場合はＰＤＣＣＨの同時送信数の上限を下げないようにすることができる。これにより、フェムト基地局装置２１０からのＰＤＣＣＨによる干渉を受けている端末装置がない状態でもＰＤＣＣＨの同時送信数の上限を下げることによる通信効率の低下を回避することができる。
【００８５】
また、ＰＤＣＣＨの同時送信数の上限を下げた後に、上り干渉レベルが低くなった場合はＰＤＣＣＨの同時送信数の上限を上げることができる。これにより、ＰＤＣＣＨの通信品質が維持できている状態でもＰＤＣＣＨの同時送信数の上限を下げることによる通信効率の低下を回避することができる。
【００８６】
（同時送信数の上限を下げる前の下り被干渉）
図１０−１は、同時送信数の上限を下げる前の下り被干渉の一例を示す図である。図１０−１において、横方向は時間を示し、縦方向は周波数を示している。無線リソース１０１０（フェムトセル）は、フェムト基地局装置２１０の下り信号の無線リソースを示している。無線リソース１０２０（マクロセル）は、マクロ基地局装置２３０の下り信号の無線リソースを示している。
【００８７】
図１０−１に示す無線リソース１０１０には、ＰＤＣＣＨ＃１〜＃３と、ＰＤＳＣＨと、の領域が含まれる。ＰＤＣＣＨ＃１〜＃３は、同一の時間リソースに割り当てられたＰＤＣＣＨである。すなわち、無線リソース１０１０においてはフェムト基地局装置２１０から３つのＰＤＣＣＨが同時送信される。
【００８８】
図１０−１に示す無線リソース１０２０には、ＰＤＣＣＨ＃Ａ〜＃Ｃと、ＰＤＳＣＨと、の領域が含まれる。フェムト基地局装置２１０はマクロ基地局装置２３０に近いため、フェムト基地局装置２１０の下り信号は、マクロ基地局装置２３０の下り信号からの干渉を受ける。
【００８９】
（同時送信数の上限を下げた後の下り被干渉）
図１０−２は、同時送信数の上限を下げた後の下り被干渉の一例を示す図である。図１０−２において、図１０−１に示した部分と同様の部分については同一の符号を付して説明を省略する。図１０−１に示した状態において、フェムト基地局装置２１０は、フェムト基地局装置２１０がマクロ基地局装置２３０と近く、かつＰＤＣＣＨの通信品質が低いと判断すると、ＰＤＣＣＨの同時送信数の上限を下げてスケジューリングを行う。
【００９０】
たとえば、フェムト基地局装置２１０は、ＰＤＣＣＨの同時送信数の上限を１に下げたとする。この結果、たとえば、図１０−２の無線リソース１０１０に示すように、フェムト基地局装置２１０の下り信号の無線リソース１０１０にはＰＤＣＣＨ＃１のみが割り当てられたとする。これにより、無線リソース１０１０に３つのＰＤＣＣＨが割り当てられていた図１０−１の状態に比べて、ＰＤＣＣＨ＃１の送信電力を上げること（電力Ｕｐ）が可能になる。
【００９１】
このため、フェムト基地局装置２１０の下り信号に対する、マクロ基地局装置２３０の下り信号による干渉の影響を小さくすることができる。送信電力の増加量は、たとえば、ＰＤＣＣＨの同時送信数の上限を下げた状態における空きＣＣＥ数などに応じて決定することができる。
【００９２】
（同時送信数の上限を下げる前の下り与干渉）
図１１−１は、同時送信数の上限を下げる前の下り与干渉の一例を示す図である。図１１−１において、図１０−１に示した部分と同様の部分については同一の符号を付して説明を省略する。無線リソース１０３０（フェムトセル）は、フェムト基地局装置２２０の下り信号の無線リソースを示している。フェムト基地局装置２２０はマクロ基地局装置２３０から遠く、フェムト基地局装置２２０の下り信号は、マクロ基地局装置２３０の下り信号に対して干渉を与える。
【００９３】
（同時送信数の上限を下げた後の下り与干渉）
図１１−２は、同時送信数の上限を下げた後の下り与干渉の一例を示す図である。図１１−２において、図１１−１に示した部分と同様の部分については同一の符号を付して説明を省略する。
【００９４】
図１１−１に示した状態において、フェムト基地局装置２２０は、フェムト基地局装置２２０がマクロ基地局装置２３０から遠いと判断とする。また、フェムト基地局装置２２０は、フェムト基地局装置２２０に未接続のマクロセル接続端末装置２３１がフェムト基地局装置２２０の近くに存在すると判断したとする。この場合は、フェムト基地局装置２２０は、ＰＤＣＣＨの同時送信数の上限を下げてスケジューリングを行う。
【００９５】
たとえば、フェムト基地局装置２２０は、ＰＤＣＣＨの同時送信数の上限を１に下げたとする。この結果、たとえば、図１１−２の無線リソース１０３０に示すように、フェムト基地局装置２２０の下り信号の無線リソース１０３０にはＰＤＣＣＨ＃１のみが割り当てられたとする。
【００９６】
また、フェムト基地局装置２２０は、無線リソース１０３０におけるＰＤＣＣＨの送信タイミングを、マクロ基地局装置２３０の無線リソース１０２０におけるＰＤＣＣＨの送信タイミングと同期させる。
【００９７】
これにより、図１１−１の状態に比べて、無線リソース１０３０に含まれるＰＤＣＣＨおよびＰＤＳＣＨ領域から、無線リソース１０２０に含まれるＰＤＣＣＨが受ける下り干渉量を低減することができる。これにより、マクロ基地局装置２３０の下り信号に対する、フェムト基地局装置２２０の下り信号による干渉の影響を小さくすることができる。
【００９８】
このように、実施の形態によれば、フェムト基地局装置２１０とマクロ基地局装置２３０が近い場合に、フェムト基地局装置２１０が同時に送信するＰＤＣＣＨの上限数を少なくし、ＰＤＣＣＨの送信電力を上げることができる。これにより、マクロ基地局装置２３０からの干渉による、フェムト基地局装置２１０からのＰＤＣＣＨへの影響を小さくすることができる。このため、フェムト基地局装置２１０とフェムトセル接続端末装置２１１との間の通信品質の低下を抑えることができる。
【００９９】
また、フェムト基地局装置２２０がマクロ基地局装置２３０と遠い場合に、フェムト基地局装置２２０が同時に送信するＰＤＣＣＨの上限数を少なくすることができる。これにより、フェムト基地局装置２２０が同時に送信する制御チャネルを少なくし、フェムト基地局装置２２０のＰＤＣＣＨと、マクロ基地局装置２３０のＰＤＣＣＨと、の衝突の頻度を低減することができる。このため、マクロ基地局装置２３０とマクロセル接続端末装置２３１との間の通信品質の低下を抑えることができる。
【０１００】
また、フェムト基地局装置２２０がマクロ基地局装置２３０と遠い場合に、ＰＤＣＣＨの送信タイミングを、マクロ基地局装置２３０との間で同期させることができる。これにより、フェムト基地局装置２２０からのＰＤＳＣＨと、マクロ基地局装置２３０からのＰＤＣＣＨと、の衝突を回避することができる。このため、マクロ基地局装置２３０とマクロセル接続端末装置２３１との間の通信品質の低下を抑えることができる。
【０１０１】
以上説明したように、基地局装置、通信方法および端末装置によれば、通信品質の低下を抑えることができる。
【０１０２】
上述した実施の形態に関し、さらに以下の付記を開示する。
【０１０３】
（付記１）周波数分割多重により複数の制御チャネルを同時に送信可能な基地局装置において、
自局と他の基地局装置との間の距離を示す距離情報を取得する取得部と、
前記取得部によって取得された距離情報が示す距離に基づいて、自局に接続中の端末装置へ同時に送信する制御チャネルの上限数を設定する設定部と、
前記設定部によって設定された上限数に基づいて、前記端末装置へ制御チャネルを送信する通信部と、
を備えることを特徴とする基地局装置。
【０１０４】
（付記２）前記設定部は、前記距離が所定値以上である場合に前記上限数を第１上限数に設定し、前記距離が前記所定値未満である場合に前記上限数を前記第１上限数より少ない第２上限数に設定することを特徴とする付記１に記載の基地局装置。
【０１０５】
（付記３）前記取得部は、自局に接続中の端末装置へ自局から送信する制御信号の通信品質を示す品質情報を取得し、
前記設定部は、前記距離が前記所定値未満である場合のうちの、前記取得部によって取得された品質情報が示す通信品質が閾値以上である場合は前記上限数を前記第１上限数に設定する、
ことを特徴とする付記２に記載の基地局装置。
【０１０６】
（付記４）前記設定部は、前記距離が前記所定値（以下、「第１所定値」と称する）より大きい第２所定値以上である場合に、前記上限数を前記第１上限数より少ない第３上限数に設定することを特徴とする付記２または３に記載の基地局装置。
【０１０７】
（付記５）前記通信部は、前記距離が前記第２所定値以上である場合に、前記制御チャネルの送信タイミングを、前記他の基地局装置からの制御チャネルの送信タイミングと同期させることを特徴とする付記４に記載の基地局装置。
【０１０８】
（付記６）前記取得部は、自局への上り干渉レベルを示す干渉情報を取得し、
前記設定部は、前記距離が前記第２所定値以上である場合のうちの、前記取得部によって取得された干渉情報が示す干渉レベルが所定レベル以下である場合は前記上限数を前記第１上限数に設定することを特徴とする付記４または５に記載の基地局装置。
【０１０９】
（付記７）前記通信部は、同時に送信する制御チャネルの合計の送信電力が所定の電力以下となるように、制御チャネルの送信電力を制御することを特徴とする付記１〜６のいずれか一つに記載の基地局装置。
【０１１０】
（付記８）前記距離情報は、前記他の基地局装置からの信号の自局による受信結果に基づく情報であることを特徴とする付記１〜７のいずれか一つに記載の基地局装置。
【０１１１】
（付記９）前記距離情報は、自局に接続中の端末装置による、自局および前記他の基地局装置からの各信号の受信結果に基づく情報であることを特徴とする付記１〜７のいずれか一つに記載の基地局装置。
【０１１２】
（付記１０）前記通信品質はＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ：信号対干渉雑音比）であることを特徴とする付記３に記載の基地局装置。
【０１１３】
（付記１１）周波数分割多重により複数の制御チャネルを同時に送信可能な基地局装置が、
前記基地局装置と他の基地局装置との間の距離を示す距離情報を取得し、
取得した距離情報が示す距離に基づいて、自局に接続中の端末装置へ同時に送信する制御チャネルの上限数を設定し、
設定した上限数に基づいて、前記端末装置へ制御チャネルを送信する、
ことを特徴とする通信方法。
【０１１４】
（付記１２）周波数分割多重により複数の制御チャネルを同時に送信可能な基地局装置に接続する端末装置において、
前記基地局装置と他の基地局装置との間の距離に基づいて、自局に接続中の端末装置へ同時に送信する制御チャネルの上限数を設定し、設定した上限数に基づいて、前記端末装置へ制御チャネルを送信する前記基地局装置から、前記制御チャネルを受信することを特徴とする端末装置。
【符号の説明】
【０１１５】
１０１〜１０３，４２０  端末装置
１１０，１２０  基地局装置
１１１  取得部
１１２  設定部
１１３  通信部
２００  通信システム
２１０，２２０，４１０  フェムト基地局装置
２１０ａ，２２０ａ  フェムトセル
２１１，２２１  フェムトセル接続端末装置
２２２，２３２  干渉
２３０  マクロ基地局装置
２３０ａ  マクロセル
２３１  マクロセル接続端末装置
３００  フォーマット
４１１，４２１  無線送受信部
４１２，４２２  呼処理制御部
４１３，４２３，５１３，５２３  ベースバンド信号処理部
４１４  スケジューラ
４１５  隣接セル間距離判定部
４１６  被干渉／与干渉判定部
４１７  下り制御チャネル同時送信数決定部
４２４  アプリケーション処理部
５１０，５２０  バス
５１１，５２１  アンテナ
５１２，５２２  ＲＦ部
５１４  外部信号Ｉ／Ｆ
５１５，５２５  ＣＰＵ
５１６，５２６  メモリ
５２４  ユーザＩ／Ｆ
１０１０，１０２０  無線リソース
【国際調査報告】
2014112058.tif 000019
2014112058.tif 000020